(57)【要約】【課題】  対物レンズのトラッキング動作によりダイクロイックプリズムおよび偏光ビームスプリッタに入射する光束の角度が変化し、プッシュプル信号が正常に検出できない等の問題が生じないようにする。【解決手段】  半導体レーザ１からの光束を、偏光ビームスプリッタ４を介してコリメートレンズ５により略平行光にして対物レンズ７により光情報記録媒体(光ディスク８)に照射する光ピックアップ装置において、前記偏光ビームスプリッタ４に対するＰ偏光方向と前記対物レンズ７のトラッキング方向を異なる方向にした。【選択図】  図１
2005085334.tif 000002
【特許請求の範囲】
【請求項１】
半導体レーザからの光束を、偏光ビームスプリッタを介してコリメートレンズにより略平行光にして対物レンズにより光情報記録媒体に照射する光ピックアップ装置において、前記偏光ビームスプリッタに対するＰ偏光方向と前記対物レンズのトラッキング方向を異なる方向にしたことを特徴とする光ピックアップ装置。
【請求項２】
半導体レーザからの光束を、偏光ビームスプリッタを介してコリメートレンズにより略平行光にして対物レンズにより光情報記録媒体に照射する光ピックアップ装置において、前記偏光ビームスプリッタに対するＳ偏光方向と前記対物レンズのトラッキング方向を同一方向にしたことを特徴とする光ピックアップ装置。
【請求項３】
半導体レーザからの光束を、ダイクロイックプリズムを介してコリメートレンズにより略平行光にして対物レンズにより光情報記録媒体に照射する光ピックアップ装置において、前記偏光ビームスプリッタに対するＰ偏光方向と前記対物レンズのトラッキング方向を異なる方向にしたことを特徴とする光ピックアップ装置。
【請求項４】
半導体レーザからの光束を、ダイクロイックプリズムを介してコリメートレンズにより略平行光にして対物レンズにより光情報記録媒体に照射する光ピックアップ装置において、前記偏光ビームスプリッタに対するＳ偏光方向と前記対物レンズのトラッキング方向を同一方向にしたことを特徴とする光ピックアップ装置。
【請求項５】
請求項１ないし４のいずれか記載の光ピックアップ装置において、前記コリメートレンズの焦点距離は前記対物レンズの焦点距離の７倍以下であることを特徴とする光ピックアップ装置。
【請求項６】
請求項１ないし４のいずれか記載の光ピックアップ装置が組み込まれた光ディスク装置。
【発明の詳細な説明】
【技術分野】
【０００１】
本発明は、光ピックアップ装置および光ディスク装置に関する。
【背景技術】
【０００２】
光ピックアップ装置および光ディスク装置に関連して、例えば、特許文献１には、偏光ビームスプリッタに対するＰ偏光方向と対物レンズのトラッキング方向を一致した方式が示されている。また特許文献２には、偏光ビームスプリッタに入射する角度を小さくして偏光ビームスプリッタの角度依存性によって生じる不具合を低減する方式が示されている。
【特許文献１】特開平１１−３４５４２７号公報
【特許文献２】特開平７−７８３５２号公報
【発明の開示】
【発明が解決しようとする課題】
【０００３】
後に詳細に説明する図１において、ダイクロイックプリズム３および偏光ビームスプリッタ４に対するＰ偏光の方向(図中矢印Ｐ方向)に対物レンズ７が０．３ｍｍトラッキング変位すると、ダイクロイックプリズム３および偏光ビームスプリッタ４に入射する光束の角度は図２(ｂ)に示すように最大６．８°である。
この時の偏光ビームスプリッタ４に入射する角度とＰ偏光透過率の関係を図３に示す。対物レンズ７が変位しない状態での偏光ビームスプリッタ４に入射する角度は最大５．９°であり、その時の透過率は８３％であるが、対物レンズ７がトラッキングにて０．３ｍｍ変位するとダイクロイックプリズム３および偏光ビームスプリッタ４に入射する角度は最大６．８°であり、その時の透過率は７２％と下がってしまう。
つまり対物レンズ７のトラッキング動作により偏光ビームスプリッタ４の透過率が変化してしまい、光ディスク８に照射される光束に偏りが生じプッシュプル信号が正常に検出できない等の問題が生じる。
また、偏光ビームスプリッタ４に入射する角度とＳ偏光反射率の関係を図４に示す。対物レンズ７が変位しない状態での偏光ビームスプリッタ４に入射する角度は最小−５．９°であり、その時の反射率は９９％であるが、対物レンズ７がトラッキング−０．３ｍｍ変位するとダイクロイックプリズム３および偏光ビームスプリッタ４に入射する角度は最小−６．８°であり、その時の反射率は９４％と下がってしまう。
つまり対物レンズ７のトラッキング動作により偏光ビームスプリッタ４の反射率が変化してしまい、光ディスク８から反射される光束に偏りが生じプッシュプル信号が正常に検出できない等の問題が生じる。
本発明は、対物レンズのトラッキング動作によりダイクロイックプリズムおよび偏光ビームスプリッタに入射する光束の角度が変化し、プッシュプル信号が正常に検出できない等の問題が生じない光ピックアップ装置および光ディスク装置を提供することを目的とする。
【課題を解決するための手段】
【０００４】
前記目的を達成するために、請求項１記載の発明は、半導体レーザからの光束を、偏光ビームスプリッタを介してコリメートレンズにより略平行光にして対物レンズにより光情報記録媒体に照射する光ピックアップ装置において、前記偏光ビームスプリッタに対するＰ偏光方向と前記対物レンズのトラッキング方向を異なる方向にした光ピックアップ装置を最も主要な特徴とする。
請求項２記載の発明は、半導体レーザからの光束を、偏光ビームスプリッタを介してコリメートレンズにより略平行光にして対物レンズにより光情報記録媒体に照射する光ピックアップ装置において、前記偏光ビームスプリッタに対するＳ偏光方向と前記対物レンズのトラッキング方向を同一方向にした光ピックアップ装置を最も主要な特徴とする。
請求項３記載の発明は、半導体レーザからの光束を、ダイクロイックプリズムを介してコリメートレンズにより略平行光にして対物レンズにより光情報記録媒体に照射する光ピックアップ装置において、前記偏光ビームスプリッタに対するＰ偏光方向と前記対物レンズのトラッキング方向を異なる方向にした光ピックアップ装置を最も主要な特徴とする。
請求項４記載の発明は、半導体レーザからの光束を、ダイクロイックプリズムを介してコリメートレンズにより略平行光にして対物レンズにより光情報記録媒体に照射する光ピックアップ装置において、前記偏光ビームスプリッタに対するＳ偏光方向と前記対物レンズのトラッキング方向を同一方向にした光ピックアップ装置を最も主要な特徴とする。
請求項５記載の発明は、請求項１ないし４のいずれか記載の光ピックアップ装置において、前記コリメートレンズの焦点距離は前記対物レンズの焦点距離の７倍以下である光ピックアップ装置を主要な特徴とする。
請求項６記載の発明は、請求項１ないし４のいずれか記載の光ピックアップ装置が組み込まれた光ディスク装置を最も主要な特徴とする。
【発明の効果】
【０００５】
本発明によれば、プッシュプル信号を正常に検出することが可能となる。
【発明を実施するための最良の形態】
【０００６】
以下、本発明の実施の形態を図面に従って説明する。
図１は光ピックアップ装置の光学系の概略図である。その構成を動作と併せて説明する。ＤＶＤ用の半導体レーザ１からの光束はダイクロイックプリズム３を透過し偏光ビームスプリッタ４を透過し、コリメートレンズ５により略平行光になる。コリメートレンズ５からの光束はλ／４板６を介し、対物レンズ７により光ディスク８に照射される。光ディスク８からの反射光は対物レンズ７、λ／４板６、コリメートレンズ５を介し、偏光ビームスプリッタ４の反射膜で反射し、シリンドリカルレンズ９を介し受光素子１０で受光する。
符号２はＣＤ用の半導体レーザであり、ＣＤ用の半導体レーザ２からの出射光はダイクロイックプリズム３を反射し偏光ビームスプリッタ４を透過し、コリメートレンズ５により略平行光になる。コリメートレンズ５からの光束はλ／４板６を介し、対物レンズ７により光ディスク８に照射される。光ディスク８からの反射光は対物レンズ７、λ／４板６、コリメートレンズ５を介し、偏光ビームスプリッタ４で反射し、シリンドリカルレンズ９を介し受光素子１０で受光する。
この光学系の対物レンズ７の焦点距離は３ｍｍ、ＮＡはＤＶＤ系で０．６５である。一方、コリメートレンズ５の焦点距離は１９ｍｍである。この時ダイクロイックプリズム３および偏光ビームスプリッタ４に入射する光束の角度は図２(ａ)に示すように最大５．９°である。さらに図１においてダイクロイックプリズム３および偏光ビームスプリッタ４に対するＳ偏光の方向(図中矢印Ｓ方向)に対物レンズ７が０．３ｍｍトラッキング変位してもダイクロイックプリズム３および偏光ビームスプリッタ４に入射する角度は最大５．９°と変化せず、その時の透過率は８３％のままである。
【０００７】
偏光ビームスプリッタ４に入射する角度とＳ偏光反射率の関係を図４に示す。対物レンズ７が変位しない状態で偏光ビームスプリッタ４に入射する角度は最小−５．９°、その時の反射率は９９％であり、対物レンズ７がトラッキング−０．３ｍｍ変位してもダイクロイックプリズム３および偏光ビームスプリッタ４に入射する角度は最小−５．９°のままであり、その時の反射率は９９％のままである。
以上の実施形態では対物レンズ７のトラッキング方向を図中矢印Ｓ方向としたが、Ｐ偏光とＳ偏光の中間でも十分な効果が得られる。
ＤＶＤに記録するタイプの光学系におけるコリメートレンズ５の焦点距離が対物レンズ７の焦点距離の７倍を超えるとパワー不足により書き込みができなくなってしまうため、７倍以下である必要がある。特に６〜６．５倍が理想的である。
【０００８】
本発明の一つの特徴は、半導体レーザ１からの光束を、偏光ビームスプリッタ４を介してコリメートレンズ５により略平行光にし、対物レンズ７により光情報記録媒体に照射する光ピックアップ装置において、偏光ビームスプリッタ４に対するＰ偏光方向と対物レンズ７のトラッキング方向を異なる方向にした構成にある。
本発明の他の一つの特徴は、半導体レーザ１からの光束を、偏光ビームスプリッタ７を介してコリメートレンズ５により略平行光にし、対物レンズ７により光情報記録媒体に照射する光ピックアップ装置において、偏光ビームスプリッタ４に対するＳ偏光方向と対物レンズ７のトラッキング方向を同一方向にした構成にある。
本発明の他の一つの特徴は、半導体レーザ１からの光束を、ダイクロイックプリズム３を介してコリメートレンズ５により略平行光にして対物レンズ７により光情報記録媒体に照射する光ピックアップ装置において、偏光ビームスプリッタ４に対するＰ偏光方向と対物レンズのトラッキング方向を異なる方向にした構成にある。
本発明の他の一つの特徴は、半導体レーザ１からの光束を、ダイクロイックプリズム３を介してコリメートレンズ５により略平行光にして対物レンズ７により光情報記録媒体に照射する光ピックアップ装置において、偏光ビームスプリッタ４に対するＳ偏光方向と対物レンズ７のトラッキング方向を同一方向にした構成にある。
本発明の各実施形態によれば、対物レンズ７のトラッキング動作によってダイクロイックプリズム３および偏光ビームスプリッタ４に入射する光束の角度が変化しないので、プッシュプル信号等が正常に検出可能となる。またＤＶＤに良好な記録を行うことが可能である。
【図面の簡単な説明】
【０００９】
【図１】光ピックアップ装置の光学系の概略図である。
【図２】ダイクロイックプリズムおよび偏光ビームスプリッタに入射する光束の角度を示す図である。
【図３】偏光ビームスプリッタに入射する角度とＰ偏光透過率の関係を示す図である。
【図４】偏光ビームスプリッタに入射する角度とＳ偏光反射率の関係を示す図である。
【符号の説明】
【００１０】
１、２  半導体レーザ、３  ダイクロイックプリズム、４  偏光ビームスプリッタ、５  コリメートレンズ、６  λ／４板、７  対物レンズ、８  光ディスク、９  シリンドリカルレンズ、１０  受光素子
【図１】
2005085334.tif 000003
【図２】
2005085334.tif 000004
【図３】
2005085334.tif 000005
【図４】
2005085334.tif 000006